(57)【特許請求の範囲】
【請求項１】
中継装置と無線通信を行なう無線通信機能を備える端末装置であって、
前記無線通信機能を停止させたスリープ状態にするスリープ制御部と、
前記スリープ状態において当該端末装置の移動を検知する移動検知部と、
前記移動検知部が当該端末装置の移動を検知すると、当該端末装置の端末情報を出力する出力部と、
加速度センサと、
前記スリープ状態への移行時に前記加速度センサを有効にするセンサ制御部とをそなえ、
前記移動検知部が、前記加速度センサにより検出された加速度変動に基づいて当該端末装置の移動を検知する
ことを特徴とする、端末装置。
【請求項２】
前記スリープ制御部が、前記移動検知部が当該端末装置の移動を検知すると、前記スリープ状態を解除することを特徴とする、請求項１記載の端末装置。
【請求項３】
前記中継装置からの距離に応じて、前記スリープ状態への移行時間を設定するスリープ開始時間設定部をそなえ、
前記スリープ制御部が、前記スリープ開始時間設定部により設定された前記移行時間に従って前記スリープ状態にすることを特徴とする、請求項１または２記載の端末装置。
【請求項４】
前記スリープ開始時間設定部が、前記中継装置から遠いほど前記スリープ状態への移行時間を遅くすることを特徴とする、請求項３記載の端末装置。
【請求項５】
前記中継装置からの距離に応じて、前記移動検知部による当該端末装置の移動の検知タイミングを設定する移動検知タイミング設定部をそなえ、
前記移動検知部が、前記移動検知タイミング設定部により設定された前記検知タイミングに従って当該端末装置の移動の検知を行なうことを特徴とする、請求項１〜４のいずれか１項に記載の端末装置。
【請求項６】
前記移動検知タイミング設定部が、前記中継装置から遠いほど前記移動検知部による当該端末装置の移動の検知間隔を短くすることを特徴とする、請求項５記載の端末装置。
【請求項７】
前記移動検知部が前記スリープ状態において当該端末装置の移動を検知しなかった場合に、前記中継装置に対して、無線通信鍵の更新時間の延長を依頼する依頼情報を送信する延長依頼情報送信部をそなえることを特徴とする、請求項１〜６のいずれか１項に記載の端末装置。
【請求項８】
中継装置と、
前記中継装置と無線通信を行なう無線通信機能を備える端末装置とをそなえるネットワークシステムであって、
前記無線通信機能を停止させたスリープ状態にするスリープ制御部と、
前記スリープ状態において前記端末装置の移動を検知する移動検知部と、
前記移動検知部が前記端末装置の移動を検知すると、前記端末装置の端末情報を出力する出力部と、
加速度センサと、
前記スリープ状態への移行時に前記加速度センサを有効にするセンサ制御部とをそなえ、
前記移動検知部が、前記加速度センサにより検出された加速度変動に基づいて当該端末装置の移動を検知する
ことを特徴とする、ネットワークシステム。
【請求項９】
中継装置と無線通信を行なう無線通信機能と、加速度センサとを備えるコンピュータのプログラムであって、
前記無線通信機能を停止させたスリープ状態にし、
前記スリープ状態への移行時に前記加速度センサを有効にし、
前記スリープ状態において、前記加速度センサにより検出された加速度変動に基づいて当該端末装置の移動を検知し、
当該端末装置の移動を検知すると、当該端末装置の端末情報を出力する
処理を前記コンピュータに実行させることを特徴とする、プログラム。
【請求項１０】
中継装置と無線通信を行なう無線通信機能と、加速度センサとを備える端末装置の制御方法であって、
前記無線通信機能を停止させたスリープ状態にするステップと、
前記スリープ状態への移行時に前記加速度センサを有効にするステップと、
前記スリープ状態において、前記加速度センサにより検出された加速度変動に基づいて当該端末装置の移動を検知するステップと、
当該端末装置の移動を検知すると、当該端末装置の端末情報を出力するステップとをそなえることを特徴とする、制御方法。
【発明の詳細な説明】
【技術分野】
【０００１】
本件は、端末装置，ネットワークシステム，プログラム及び制御方法に関する。
【背景技術】
【０００２】
近年、多機能携帯電話機（スマートフォン）の普及により、第３世代移動通信システム（３Ｇ；3rd Generation）の回線の使用率が増大している。このような３Ｇ回線のトラフィックを軽減するために、各社により公衆ＷＬＡＮ（Wireless Local Area Network：無線ＬＡＮ）網が次々と設置されている。これにより、将来は、３Ｇ通信に代えてどこでもＷＬＡＮ通信を利用できる環境が整備されることが期待されている。
【０００３】
さて、例えば、無線ＬＡＮにおいて、近年、広く用いられているＷＰＡ（Wi-Fi Protected Access）通信方式においては、論理的接続を常時確保しておく必要がある。これにより、従来においては、端末装置のＷＬＡＮ機能をスリープ（ＷＬＡＮスリープ）させないで運用することを余儀なくされており、消費電力の削減を妨げている。
例えば、端末装置を、ＷＬＡＮスリープさせたまま、一のアクセスポイントの通信範囲から他のアクセスポイントの通信範囲に移動すると、これらのアクセスポイントと端末装置との間では、通信範囲を越える際に鍵交換が行なわれない。
【０００４】
また、近年、携帯型の端末装置に対して、リモートから外部の情報処理装置（外部装置）がデータアクセスを行なったり、又、端末装置において外部装置から送信されるプッシュ型のメッセージを受信する機会が増加している。
例えば、情報端末に対して外部装置がリモートからデータアクセスを実現するためには、端末装置が、予め、ＩＰアドレスやポート番号等の情報（端末情報）をアクセスポイントを介して管理サーバ等に送信する。管理サーバにおいては、各端末装置の端末情報や端末装置がどのアクセスポイントの管理下にあるか等の情報を管理する。そして、接続元である外部装置は、管理サーバに対して、端末装置にアクセスするために必要な各種情報を問い合わせ、その応答により取得した端末情報に基づいて、端末装置にデータアクセスを行なったり、プッシュメッセージの送信を行なう。
【先行技術文献】
【特許文献】
【０００５】
【特許文献１】特開２０１０−１３６０３３号公報
【発明の概要】
【発明が解決しようとする課題】
【０００６】
しかしながら、このような従来のネットワークシステムにおいて、端末装置の消費電力を削減するためにＷＬＡＮスリープさせると、端末装置は、管理サーバに対して端末情報を送信できない。
これにより、ＷＬＡＮスリープ状態の端末装置を、一のアクセスポイントの通信範囲から他のアクセスポイントの通信範囲に移動させた場合に、管理サーバは、端末装置が移動したことを検知できず、端末装置の位置を把握することができない。これにより、外部装置から端末装置にアクセスすることができないという課題がある。
【０００７】
ここで、端末装置を定期的に自立起動させることでＷＬＡＮスリープを解除して、アクセスポイントに対して定期的に端末情報を通知することが考えられる。
しかしながら、先にＷＬＡＮスリープを解除して端末情報を送信した後、所定時間が経過するまでは管理サーバが端末装置の端末情報を取得することができず利便性が低い。そこで、端末装置を自立起動する間隔を短くすることも考えられるが、これにより、端末装置を自立起動する回数が増え、消費電力が増大するという課題もある。
【０００８】
１つの側面では、本発明は、スリープさせた端末装置の移動を検知できるようにすることを目的とする。
なお、前記目的に限らず、後述する発明を実施するための形態に示す各構成により導かれる作用効果であって、従来の技術によっては得られない作用効果を奏することも本発明の他の目的の1つとして位置付けることができる。
【課題を解決するための手段】
【０００９】
このため、この端末装置は、中継装置と無線通信を行なう無線通信機能を備える端末装置であって、前記無線通信機能を停止させたスリープ状態にするスリープ制御部と、前記スリープ状態において当該端末装置の移動を検知する移動検知部と、前記移動検知部が当該端末装置の移動を検知すると、当該端末装置の端末情報を出力する出力部と、加速度センサと、前記スリープ状態への移行時に前記加速度センサを有効にするセンサ制御部とをそなえ、前記移動検知部が、前記加速度センサにより検出された加速度変動に基づいて当該端末装置の移動を検知する。
【００１０】
また、このネットワークシステムは、中継装置と、前記中継装置と無線通信を行なう無線通信機能を備える端末装置とをそなえるネットワークシステムであって、前記無線通信機能を停止させたスリープ状態にするスリープ制御部と、前記スリープ状態において前記端末装置の移動を検知する移動検知部と、前記移動検知部が前記端末装置の移動を検知すると、前記端末装置の端末情報を出力する出力部と、加速度センサと、前記スリープ状態への移行時に前記加速度センサを有効にするセンサ制御部とをそなえ、前記移動検知部が、前記加速度センサにより検出された加速度変動に基づいて当該端末装置の移動を検知する。
【発明の効果】
【００１１】
一実施形態によれば、スリープさせた端末装置の移動を検知できる。
【図面の簡単な説明】
【００１２】
【図１】第１実施形態の一例としてのネットワークシステムの構成を示す図である。
【図２】第１実施形態の一例としてのネットワークシステムの無線端末装置の機能構成を示す図である。
【図３】第１実施形態の一例としてのネットワークシステムにおけるスリープ開始時間設定データテーブルを例示する図である。
【図４】第１実施形態の一例としてのネットワークシステムにおける加速度センサインターバル設定データテーブルを例示する図である。
【図５】第１実施形態の一例としてのネットワークシステムにおける、無線端末装置のスリープ時の処理の概要を説明する図である。
【図６】第１実施形態の一例としてのネットワークシステムにおけるＷＬＡＮスリープ制御手法を説明するフローチャートである。
【図７】第１実施形態の一例としてのネットワークシステムにおける加速度センサモジュールの電源制御手法を説明するフローチャートである。
【図８】第２実施形態の一例としてのネットワークシステムの無線端末装置の機能構成を示す図である。
【図９】第２実施形態の一例としてのネットワークシステムにおけるＷＬＡＮ鍵更新時間延長依頼情報を例示する図である。
【図１０】第２実施形態の一例としてのネットワークシステムのアクセスポイントの機能構成を示す図である。
【図１１】第２実施形態の一例としてのネットワークシステムにおけるＷＬＡＮ鍵更新時間延長依頼情報バッファに記憶されたＷＬＡＮ鍵更新時間延長依頼情報を例示する図である。
【図１２】第２実施形態の一例としてのネットワークシステムにおけるＷＬＡＮスリープ制御手法を説明するフローチャートである。
【図１３】第２実施形態の一例としてのネットワークシステムのアクセスポイントにおけるＷＬＡＮ鍵更新時間の延長判断処理を説明するフローチャートである。
【発明を実施するための形態】
【００１３】
以下、図面を参照して本端末装置，ネットワークシステム，プログラム及び制御方法に係る実施の形態を説明する。ただし、以下に示す実施形態はあくまでも例示に過ぎず、実施形態で明示しない種々の変形例や技術の適用を排除する意図はない。すなわち、本実施形態を、その趣旨を逸脱しない範囲で種々変形して実施することができる。又、各図は、図中に示す構成要素のみを備えるという趣旨ではなく、他の機能等を含むことができる。
【００１４】
（Ａ）第１実施形態の説明
図１は第１実施形態の一例としてのネットワークシステム１の構成を示す図、図２はその無線端末装置１０の機能構成を示す図である。
本ネットワークシステム１は、図１に示すように、管理サーバ２，無線端末装置１０，アクセス装置４及び、複数（図１に示す例では２つ）のアクセスポイント３−１，３−２を備える。
【００１５】
管理サーバ２，アクセス装置４及びアクセスポイント３−１，３−２は、ネットワーク５０を介して通信可能に接続されている。ネットワーク５０は、ＬＡＮ等の通信回線である。
アクセスポイント３−１，３−２は、無線ＬＡＮのアクセスポイントであり、後述する無線端末１０がこれらのアクセスポイント３−１，３−２のうちいずれかと無線通信を行なうことにより、その無線端末１０がネットワーク５０と通信可能に接続される。
【００１６】
アクセスポイント３−１，３−２は同様の構成を備える。以下、アクセスポイントを示す符号としては、複数のアクセスポイントのうち１つを特定する必要があるときには符号３−１，３−２を用いるが、任意のアクセスポイントを指すときには符号３を用いる。
アクセスポイント３は、例えば、ＷｉＦｉ（登録商標）等に定められた規格に従って無線通信を確立する。なお、このアクセスポイント３としての機能は既知の種々の手法を用いて実現することができ、その詳細な説明は省略する。
【００１７】
無線端末装置１０は、アクセスポイント３から出力される電波の到達範囲（通信範囲,カバレッジ）内において、そのアクセスポイント３と通信することができる。
また、アクセスポイント３は、無線端末装置１０との無線通信に用いる暗号鍵であるＷＬＡＮ鍵を変更（更新）する機能を備え、このＷＬＡＮ鍵を所定時間（ＷＬＡＮ鍵更新時間）毎に変更する。アクセスポイント３は、このＷＬＡＮ鍵更新時間をメモリ等の記憶装置（ＷＬＡＮ鍵更新時間保存部）に記憶しており、その通信範囲内の無線端末装置１０に通知する。
【００１８】
管理サーバ２は、サーバ機能を備えたコンピュータであり、本ネットワークシステム１における無線端末装置１０を管理する。具体的には、無線端末装置１０がどのアクセスポイント３の通信範囲内にいるかを把握し、又、無線端末装置１０の端末情報を管理する。端末情報は、無線端末装置１０に関する情報であり、外部装置（アクセス装置４）がネットワーク５０を介してデータアクセスを行なうために必要な、ＩＰアドレスやポート番号等のネットワーク情報を含む。
【００１９】
管理サーバ２は、アクセス装置４からの問い合わせに応じて、アクセス装置４がアクセス対象の無線端末装置１０にアクセスするために用いる情報を通知する。例えば、管理サーバ２は、無線端末装置１０の端末情報を、その無線端末装置１０が通信範囲にいるアクセスポイントのService Set Identifier（ＳＳＩＤ）とともにアクセス装置４に通知する。
【００２０】
アクセス装置４は、ネットワーク５０を介して、無線端末装置１０に対する遠隔処理を行なう外部装置（コンピュータ）である。アクセス装置４は、例えば、無線端末装置１０に対してデータアクセスやプッシュメッセージの送信を行なう。
アクセス装置４は、管理サーバ２に、アクセス先の無線端末装置１０の位置情報（端末情報）を確認（要求）し、管理サーバ２から受信した端末情報等に基づいて無線端末装置１０に対してデータアクセスを行なう。
【００２１】
また、アクセス装置４は、無線端末装置１０がスリープ状態にある場合には、データアクセスを行なう前に、スリープ状態を解除するためのコマンド（端末Wakeコマンド）を送信する。これにより、無線端末装置１０のスリープ状態が解除され、アクセス装置４から遠隔処理可能な状態となる。
なお、このようなアクセス装置４による無線端末装置１０への遠隔処理や、端末Wakeコマンドの送受信は、既知の種々の手法を用いて実現することができ、その詳細な説明は省略する。
【００２２】
無線端末装置１０は、使用者が携行可能なコンピュータ（情報処理装置）であり、アクセスポイント３と無線通信を行なうことにより、ネットワーク５０と通信可能に接続される。
無線端末装置１０は、図１に示すように、ＷＬＡＮモジュール１１，加速度センサ１２，Central Processing Unit（ＣＰＵ）１５， Random Access Memory（ＲＡＭ）１３及びRead Only Memory（ＲＯＭ）１４をそなえる。
【００２３】
ＷＬＡＮモジュール１１は、アクセスポイント３と無線通信を行なうための機能モジュールである。ＷＬＡＮモジュール１１は、例えば、無線電波を受信して信号を抽出したり、又、信号を無線電波として送信する機能をそなえる。なお、このようなＷＬＡＮモジュール１１としの無線通信機能は既知の種々の手法により実現でき、その詳細な説明は省略する。
【００２４】
また、ＷＬＡＮモジュール１１は、図２に示すように、ＡＰ接続情報取得部１１１，電波強度取得部１１２，端末情報送信部１１３及び電源制御部１１４としての機能を備える。
ＡＰ接続情報取得部１１１は、アクセスポイント３と無線通信を行なう際に、アクセスポイント３から、そのアクセスポイント３に関する情報を取得する。例えば、ＡＰ接続情報取得部１１１は、アクセスポイント３からＷＬＡＮ鍵更新時間を取得する。このＡＰ接続情報取得部１１１がアクセスポイント３から受信したＷＬＡＮ鍵更新時間は、後述するＷＬＡＮスリープ制御部１６に通知される。
【００２５】
電波強度取得部１１２は、アクセスポイント３と無線通信を行なう際に、アクセスポイント３からの受信電波の強度（電波強度）を測定する。本実施形態においては、電波強度取得部１１２は、測定した電波強度をReceived Signal Strength Indicator（ＲＳＳＩ）値として出力する。なお、電波強度の測定やＲＳＳＩ値の算出は既知の手法により実現でき、その詳細な説明は省略する。電波強度取得部１１２によって取得されたＲＳＳＩ値はＷＬＡＮスリープ制御部１６に通知される。
【００２６】
端末情報送信部１１３は、アクセスポイント３と無線通信を行なう際に、アクセスポイント３に対して、当該無線端末装置１０の端末情報を送信する。例えば、端末情報送信部１１３は、アクセスポイント３に対して、無線端末装置１０の端末情報（ＩＰアドレスやポート番号情報）を通知する。これらのＩＰアドレスやポート番号情報は、ＷＬＡＮ制御部１６から通知される。
【００２７】
端末情報送信部１１３は、当該無線端末装置１０のＷＬＡＮモジュール１１がアクティブ状態のまま一のアクセスポイント３の通信範囲から他のアクセスポイント３の通信範囲に移動する際に、移動先のアクセスポイント３に対して端末情報を送信する。
電源制御部１１４は、ＷＬＡＮモジュール１１における電力供給を制御する。具体的には、電源制御部１１４は、ＷＬＡＮモジュール１１への電力供給を遮断することによりＷＬＡＮモジュール１１をスリープ状態に移行させたり、又、ＷＬＡＮモジュール１１への電力供給を行なうことによりアクティブ状態に移行させる。
【００２８】
ＷＬＡＮモジュール１１がスリープ状態となると、アクセスポイント３とのＷＬＡＮ通信が不可能な状態となる代わりに、消費電力が低減される。
なお、以下、ＷＬＡＮモジュール１１がスリープ状態となることをＷＬＡＮスリープという場合がある。
ＷＬＡＮモジュール１１のスリープ状態への移行もしくはアクティブ状態への移行は、ＷＬＡＮスリープ制御部１６から入力されるスリープ制御信号（スリープ移行指示）やアクティブ制御信号（アクティブ化指示）に基づいて行なわれる。
【００２９】
加速度センサモジュール１２は、加速度を計測することにより無線端末装置１０の移動を検知する。加速度センサモジュール１２は、図２に示すように、センシング部１２１，加速度センサインターバル設定部１２２及び電源制御部１２３をそなえる。
加速度センサインターバル設定部１２２は、加速度センサ制御部１７から通知される加速度センサインターバルを記憶する。加速度センサインターバルは、後述するセンシング部１２１がセンシングを行なう間隔（インターバル時間）である。センシング部１２１は、この加速度センサインターバル毎に加速度の計測を繰り返し実行する。
【００３０】
この加速度センサインターバル設定部１２２に記憶される加速度センサインターバルの値は、加速度センサ制御部１７により更新される。加速度センサインターバル設定部１２２は、例えば、メモリ等の記憶装置によって実現される。
センシング部１２１は、加速度（加速度変動）を計測するセンサであり、例えば、ｘ軸方向，ｙ軸方向及びｚ軸方向の加速度変動を検知することにより、当該無線端末装置１０の移動やその移動方向を検知する。以下、加速度変動を計測することを、単に加速度を計測すると表現する場合がある。
【００３１】
センシング部１２１は、計測した加速度を加速度情報として、後述する加速度センサ制御部１７に通知する。センシング部１２１としては、既知の種々のセンサを用いることができ、例えば、機械式，光学式及び半導体式のいずれの方式ものであってもよい。
センシング部１２１は、加速度センサインターバル設定部１２２に加速度センサインターバルとして設定された時間が経過する毎に、加速度の計測を繰り返し行なう。すなわち、センシング部１２１は、加速度センサインターバル設定部１２２に記憶された加速度センサインターバル間隔で、加速度を周期的に計測する。
【００３２】
センシング部１２１は、加速度センサインターバル設定部１２２に設定されたインターバル毎に加速度を計測してＲＳＳＩ値求め、この算出したＲＳＳＩ値を加速度情報として加速度センサ制御部１７に通知する。
なお、ＲＳＳＩ値の算出は、既知の種々の手法を用いて実現することができ、その詳細な説明は省略する。
【００３３】
電源制御部１２３は、加速度センサモジュール１２の主にセンシング部１２１への電力供給を制御する。具体的には、センシング部１２１への電力供給を遮断することによりＯＦＦ状態に移行させたり、又、センシング部１２１への電力供給を行なうことによりＯＮ状態に移行させる。センシング部１２１のＯＮ／ＯＦＦは、加速度センサ制御部１７から入力される制御信号（加速度センサＯＮ／ＯＦＦ信号）に基づいて行なわれる。
【００３４】
また、以下、センシング部１２１の電源をＯＮにすることを加速度センサの電源をＯＮにすると表現する場合がある。同様に、センシング部１２１の電源をＯＦＦにすることを加速度センサの電源をＯＦＦにすると表現する場合がある。
加速度センサの電源をＯＦＦにする、すなわち、センシング部１２１への電力供給を遮断することにより、加速度の検知が行なわれなくなり、その一方で消費電力が低減される。
【００３５】
ＲＯＭ１４は、ＣＰＵ１５が実行するOperating System（ＯＳ）やプログラム，種々のデータ等を格納する記憶装置である。
ＲＡＭ１３は、種々のデータやプログラムを格納する記憶領域であって、ＣＰＵ１５がプログラムを実行する際に、データやプログラムを格納・展開して用いる。又、このＲＡＭ１３には、スリープ開始時間設定データテーブル１３１，加速度センサインターバル設定データテーブル１３２及びＷＬＡＮ状態情報１３３が格納される。
【００３６】
スリープ開始時間設定データテーブル１３１は、受信強度とＷＬＡＮモジュール１１をスリープ状態に移行させるまでの時間とを対応付ける制御情報である。
図３は第１実施形態の一例としてのネットワークシステム１におけるスリープ開始時間設定データテーブル１３１を例示する図である。この図３に示す例においては、スリープ開始時間設定データテーブル１３１は、ＲＳＳＩ値とＷＬＡＮスリープ開始時間とを対応付けて構成されている。
【００３７】
ＲＳＳＩ値は、アクセスポイント３から受信する電波の強度（電波強度）である。ＷＬＡＮスリープ開始時間は、ＷＬＡＮモジュール１１をスリープ状態に移行させるまでの時間、すなわち、スリープ状態への移行時間である。
このスリープ開始時間設定データテーブル１３１においては、ＲＳＳＩ値が小さい程、すなわち、受信信号強度が弱い程、ＷＬＡＮスリープ開始時間が長く（遅く）なるように設定されている。
【００３８】
後述するＷＬＡＮスリープ制御部１６は、電波強度取得部１１２によって取得されたＲＳＳＩ値に基づいて、このスリープ開始時間設定データテーブル１３１を参照し、ＲＳＳＩ値に対応するＷＬＡＮスリープ開始時間を取得する。そして、ＷＬＡＮスリープ制御部１６は、取得したＷＬＡＮスリープ開始時間が経過すると、ＷＬＡＮモジュール１１の電源制御部１１４に、ＷＬＡＮモジュール１１に対してスリープ制御信号を送信し、ＷＬＡＮモジュール１１をスリープ状態にする。
【００３９】
例えば、図３に示す例において、電波強度取得部１１２によって取得されたＲＳＳＩ値が−４０ｄＢｍ以上である場合には、ＷＬＡＮモジュール１１の電源制御部１１４は、ＷＬＡＮモジュール１１を１０秒後にスリープ状態に移行させる。
加速度センサインターバル設定データテーブル１３２は、受信強度と、加速度センサモジュール１２のセンシング部１２１による加速度測定の実行間隔（インターバル）とを対応付ける制御情報である。
【００４０】
図４は第１実施形態の一例としてのネットワークシステム１における加速度センサインターバル設定データテーブル１３２を例示する図である。この図３に示す例においては、加速度センサインターバル設定データテーブル１３２は、ＲＳＳＩ値と加速度センサインターバルとを対応付けて構成されている。
ＲＳＳＩ値は電波強度である。又、加速度センサインターバル（インターバル時間）は、加速度センサモジュール１２のセンシング部１２１による加速度測定の実行間隔である。
【００４１】
後述する加速度センサ制御部１７は、電波強度取得部１１２によって取得されたＲＳＳＩ値に基づいて、この加速度センサインターバル設定データテーブル１３２を参照し、ＲＳＳＩ値に対応する加速度センサインターバルを取得する。そして、加速度センサ制御部１７は、取得した加速度センサインターバルを加速度センサモジュール１２の加速度センサインターバル設定部１２２に設定する。センシング部１２１は、この加速度センサインターバル設定部１２２に設定された加速度センサインターバルが経過する毎に加速度の計測を行ない、加速度情報を加速度センサ制御部１７に通知する。
【００４２】
例えば、図４に示す例において、電波強度取得部１１２によって取得されたＲＳＳＩ値が−４０ｄＢｍ以上である場合には、センシング部１２１は、１０秒間隔で加速度の測定を行ない、測定した加速度情報を加速度センサ制御部１７に通知する。
ＷＬＡＮ状態情報１３３は、ＷＬＡＮモジュール１１に関する情報であり、例えば、電波強度取得部１１２によって取得された最新のＲＳＳＩ値や、ＷＬＡＮモジュールの電源状態（ＯＮもしくはＯＦＦ）を示す情報である。ＷＬＡＮスリープ制御部１６は、受信強度取得部１１２から通知されたＲＳＳＩ値をＷＬＡＮ状態情報１３３としてＲＡＭ１３に記憶する。更に、ＷＬＡＮスリープ制御部１６は、電源制御部１１４に対して出力したアクティブ制御信号もしくはスリープ制御信号に基づき、ＷＬＡＮモジュール１１のＯＮ／ＯＦＦの状態を、ＷＬＡＮ状態情報１３３としてＲＡＭ１３に記憶する。
【００４３】
加速度センサ制御部１７は、このＷＬＡＮ状態情報１３３を参照することができる。なお、以下、加速度センサ制御部１７がＷＬＡＮ状態情報１３３を参照することをＷＬＡＮ状態を問い合わせると表現する場合がある。
ＣＰＵ１５は、種々の制御や演算を行なう処理装置であり、ＲＯＭ１４に格納されたＯＳやプログラムを実行することにより、種々の機能を実現する。すなわち、ＣＰＵ１５は、図１に示すように、ＷＬＡＮスリープ制御部１６，加速度センサ制御部１７及びスリープ開始用タイマ１８として機能する。
【００４４】
スリープ開始用タイマ１８は、計時を行なうタイマであって、ＷＬＡＮスリープ制御部１６による制御に従って計時を行なう。スリープ開始用タイマ１８は、ＷＬＡＮスリープ制御部１６からスリープ開始時間及び計時開始指示を受けると、計時を開始し、そのスリープ開始時間が経過した時点でＷＬＡＮスリープ制御部１６に通知（スリープ開始通知）を行なう。
【００４５】
ＷＬＡＮスリープ制御部（スリープ制御部）１６は、ＷＬＡＮモジュール１１のスリープ制御を行なう。ＷＬＡＮスリープ制御部１６は、ＷＬＡＮモジュール１１の電源制御部１１４にスリープ制御信号を送信することにより、ＷＬＡＮモジュール１１をその無線通信機能を停止させたスリープ状態（ＷＬＡＮスリープ状態）にする。又、ＷＬＡＮスリープ制御部１６は、ＷＬＡＮモジュール１１の電源制御部１１４にアクティブ制御信号を送信することにより、ＷＬＡＮモジュール１１をその無線通信機能を機能させたアクティブ状態にする。
【００４６】
また、ＷＬＡＮスリープ制御部１６は、ＷＬＡＮスリープ状態において、後述する加速度センサ制御部１７により移動が検知されると、電源制御部１１４にアクティブ制御信号を送信して、ＷＬＡＮスリープ状態を解除する。
ＷＬＡＮスリープ制御部（出力部）１６は、当該無線端末装置１０がＷＬＡＮスリープ状態において、後述する加速度センサ制御部１７により移動が検知され、ＷＬＡＮモジュールが１１のスリープ状態が解除されると、端末情報送信部１１３に対して、アクセスポイント３に対する端末情報の出力を指示する。
【００４７】
前述の如く、端末情報は、当該無線端末装置１０のＩＰアドレスやポート番号情報であり、アクセス装置４等の外部装置が、この無線端末装置１０にネットワーク５０を介してリモートアクセスする際に用いられる情報である。これらの端末情報は、例えば、ＲＡＭ１３等に格納され、ＷＬＡＮスリープ制御部１６は、これらの端末情報をＷＬＡＮモジュール１１の端末情報送信部１１３に通知する。
【００４８】
また、ＷＬＡＮスリープ制御部（スリープ開始時間設定部）１６は、アクセスポイント３から当該無線端末装置１０までの距離に応じて、スリープ状態への移行タイミングを変更する。すなわち、アクセスポイント３から当該無線端末装置１０までの距離に応じて、スリープ状態への移行時間を設定する。
一般に、無線端末装置１０における電波強度は、アクセスポイント３から当該無線端末装置１０までの距離に応じて変化する。すなわち、電波強度を現すＲＳＳＩ値は、アクセスポイント３からの距離に応じて変化する。
【００４９】
本ネットワークシステム１においては、前述したスリープ開始時間設定データテーブル１３１において、ＲＳＳＩ値とＷＬＡＮスリープ開始時間とを対応付けることにより、アクセスポイント３から当該無線端末装置１０までの距離に応じたＷＬＡＮスリープ開始時間を予め用意する。
ＷＬＡＮスリープ制御部１６は、ＷＬＡＮモジュール１１の電波強度取得部１１２によって取得されたＲＳＳＩ値に基づいてスリープ開始時間設定データテーブル１３１を参照し、ＲＳＳＩ値に対応するＷＬＡＮスリープ開始時間を決定する。すなわち、アクセスポイント３から当該無線端末装置１０までの距離に応じた、スリープ状態への移行時間（ＷＬＡＮスリープ開始時間）を決定する。
【００５０】
ＷＬＡＮスリープ制御部１６は、スリープ開始用タイマ１８に対して、決定したＷＬＡＮスリープ開始時間と計時開始指示とを通知する。ＷＬＡＮスリープ制御部１６は、スリープ開始用タイマ１８において計時が行なわれ、スリープ開始通知を受信すると、ＷＬＡＮモジュール１１の電源制御部１１４にスリープ制御信号を送信し、ＷＬＡＮモジュール１１をスリープ状態にする。
【００５１】
このように、ＷＬＡＮスリープ制御部１６は、アクセスポイント３から当該無線端末装置１０までの距離に応じて、スリープ状態への移行時間を設定し、又、この設定した移行時間に従ってＷＬＡＮモジュール１１をスリープ状態にする。
前述の如く、スリープ開始時間設定データテーブル１３１においては、ＲＳＳＩ値が小さい程ＷＬＡＮスリープ開始時間が長くなっており、これにより、アクセスポイント３から当該無線端末装置１０までの距離が遠いほど、スリープ状態への移行時間を遅くなる。
【００５２】
無線端末装置１０がアクセスポイント３からの距離が遠い位置にいるということは、無線端末装置１０がそのアクセスポイント３の通信範囲から出て、隣接する他のアクセスポイント３の通信範囲に移動する可能性が高い。すなわち、無線端末装置１０の接続先のアクセスポイント３が切り替わる可能性が高い。
本ネットワークシステム１においては、このように無線端末装置１０が、接続先のアクセスポイント３が切り替わる可能性が高い状態にある場合に、ＷＬＡＮスリープ状態への移行を抑止する。
【００５３】
これにより、無線端末装置１０において、その接続先のアクセスポイント３が切り替わる際に、ＷＬＡＮモジュール１１がアクティブ状態である確率を高めることができる。従って、無線端末装置１０が、その接続先のアクセスポイント３が切り替わる際に、端末情報送信部１１３により新たなアクセスポイント３に端末情報の通知を行ない、管理サーバ２が無線端末装置１０を管理することができる。
【００５４】
また、ＷＬＡＮスリープ制御部１６は、加速度センサ制御部１７に対して、加速度センサモジュール１２の電源制御の開始依頼を行なう機能を備える。
加速度センサ制御部１７は、加速度センサモジュール１２のセンシング部１２１から加速度情報を取得し、この加速度情報に基づいて、当該無線端末装置１０の移動を検知する。
【００５５】
例えば、加速度センサ制御部１７は、加速度情報に基づいて、いずれかの移動方向に対する所定の閾値以上の単位時間あたりの変位量（加速度変化）が、所定の閾値時間（例えば１０秒）以上継続しているか否かを判断することにより、当該無線端末装置１０の移動検知を行なう。
また、加速度センサ制御部１７は、加速度センサモジュール１２のセンシング部１２１の電源のＯＮ／ＯＦＦを制御する。具体的には、加速度センサ制御部１７は、電源制御部１２３に対して電源ＯＮもしくは電源ＯＦＦを指示する制御信号（加速度センサＯＮ信号／加速度センサＯＦＦ信号）を送信する。これにより、加速度センサ制御部１７は、加速度センサモジュール１２のセンシング部１２１の電源をＯＮもしくはＯＦＦにする制御を行なう。
【００５６】
加速度センサ制御部１７は、ＷＬＡＮスリープ制御部１６がＷＬＡＮモジュール１１をスリープ状態へ移行させる際に、センシング部１２１の電源をＯＮにする。
そして、加速度センサ制御部１７は、ＷＬＡＮスリープ状態において、センシング部１２１から加速度情報を取得して、当該無線端末装置１０の移動を検知する。
なお、加速度センサ制御部１７は、ＷＬＡＮスリープ制御部１６がＷＬＡＮモジュール１１をアクティブ状態へ移行させる際に、センシング部１２１を電源ＯＦＦにすることが望ましい。これにより、加速度センサモジュール１２における消費電力を低減することができる。ただし、当該無線端末装置１０において、別途、センシング部１２１により加速度検出を行なう必要がある場合等には、この限りでなく、適宜、センシング部１２１を電源ＯＮにして機能させる。
【００５７】
また、加速度センサ制御部１７（移動検知タイミング設定部）は、アクセスポイント３から当該無線端末装置１０までの距離に応じて、センシング部１２１による加速度の検知タイミングを設定する。
本ネットワークシステム１においては、前述した加速度センサインターバル設定データテーブル１３２において、ＲＳＳＩ値と加速度センサインターバルとを対応付けることにより、アクセスポイント３から当該無線端末装置１０までの距離に応じた加速度センサインターバルを用意する。
【００５８】
加速度センサ制御部１７は、ＷＬＡＮモジュール１１の電波強度取得部１１２によって取得されたＲＳＳＩ値に基づいて加速度センサインターバル設定データテーブル１３２を参照し、ＲＳＳＩ値に対応する加速度センサインターバルを決定する。すなわち、アクセスポイント３から当該無線端末装置１０までの距離に応じた、加速度センサモジュール１２のセンシング部１２１による検知間隔（インターバル時間）を決定する。
【００５９】
加速度センサ制御部１７は、加速度センサモジュール１２の加速度センサインターバル設定部１２２に対して、決定した加速度センサインターバルを通知する。加速度センサインターバル設定部１２２は、通知された加速度センサインターバルを記憶し、センシング部１２１は、この加速度センサインターバル毎に、加速度の計測及び加速度センサ制御部１７に対する加速度情報の通知を行なう。
【００６０】
すなわち、センシング部１２１は、加速度センサインターバル設定部１２２に設定された検知タイミングに従って当該無線端末装置１０の移動検知を行なう
このように、加速度センサ制御部１７は、アクセスポイント３から当該無線端末装置１０までの距離に応じて、センシング部１２１による当該無線端末装置１０の移動の検知タイミングを変更する。
【００６１】
前述の如く、加速度センサインターバル設定データテーブル１３２においては、ＲＳＳＩ値が小さい程加速度センサインターバルが短くなっており、これにより、アクセスポイント３から当該無線端末装置１０までの距離が遠いほど、センシング部１２１による当該無線端末装置１０の移動の検知間隔が短くなる。すなわち、当該無線端末装置１０の移動検知を頻繁に行なう。
【００６２】
本ネットワークシステム１においては、無線端末装置１０が、接続先のアクセスポイント３が切り替わる可能性が高い状態にある場合に、センシング部１２１による当該無線端末装置１０の移動の検知間隔を短くし、当該無線端末装置１０の移動検知を頻繁に行なう。
これにより、無線端末装置１０において、その接続先のアクセスポイント３が切り替わる際に、当該無線端末装置１０の移動を検知する確率を高めることができる。従って、無線端末装置１０が、その接続先のアクセスポイント３が切り替わった際に、端末情報送信部１１３により新たなアクセスポイント３に端末情報の通知が行なわれ、管理サーバ２が無線端末装置１０を管理することができる。
【００６３】
上述の如く構成された、第１実施形態の一例としてのネットワークシステム１における、無線端末装置１０のスリープ時の処理の概要を図５に従って説明する。
この図５に示す例においては、アクセスポイント３−１の通信範囲内にある無線端末装置１０がＷＬＡＮスリープ状態に移行し、このＷＬＡＮスリープ状態のままアクセスポイント３−２の通信範囲内に移動する例を示す。
【００６４】
アクセスポイント３−１の通信範囲内にある無線端末装置１０がＷＬＡＮスリープ状態に移行する際に、無線端末装置１０はアクセスポイント３−１を介して管理サーバ２に対してスリープ状態に移行する旨の通知（スリープ通知）を行なう（符号Ｓ１参照）。この際、端末情報送信部１１３が、アクセスポイント３を介して管理サーバ２に対して端末情報を送信する。
【００６５】
管理サーバ２においては、無線端末装置１０から受信した端末情報を、例えば、Media Access Control（ＭＡＣ）アドレスのような、その無線端末装置１０を識別する情報に関連付けて記憶する（符号Ｓ２参照）。
無線端末装置１０においては、ＷＬＡＮスリープ制御部１６が電源制御部１１４にスリープ制御信号を送信することにより、ＷＬＡＮモジュール１１をスリープ状態に移行させる（符号Ｓ３参照）。これに合わせて、加速度センサ制御部１７が、電源制御部１２３に対して加速度センサＯＮ信号を送信して、加速度センサモジュール１２を有効にする（符号Ｓ４参照）。ただし、加速度センサモジュール１２が既に有効になっている場合には、電源制御部１２３に対する加速度センサＯＮ信号の送信を省略してもよい。
【００６６】
ここで、ＷＬＡＮモジュール１１がスリープ状態のまま、ユーザが無線端末装置１０を携行して、アクセスポイント３ー２の通信範囲内に移動する（符号Ｓ５参照）。無線端末装置１０においては、センシング部１２１が加速度情報を加速度センサ制御部１７に送信し、加速度センサ制御部１７は、受信した加速度情報に基づいて、当該無線端末装置１０の移動を検知する。加速度センサ制御部１７は、ＷＬＡＮスリープ制御部１６に対してＷＬＡＮモジュール１１の電源投入依頼を通知し、ＷＬＡＮスリープ制御部１６は、電源制御部１１４に対してアクティブ制御信号を送信する。これにより、ＷＬＡＮモジュール１１が有効になり、アクセスポイント３−２との間でＷＬＡＮ通信が可能となる（符号Ｓ６参照）。
【００６７】
端末情報送信部１１３は、その通信範囲のアクセスポイント３−２を介して管理サーバ２に対して端末情報を通知する（符号Ｓ７参照）。これにより、管理サーバ２は、アクセスポイント３−２の通信範囲に位置する無線端末装置１０から通知された端末情報を記憶する（符号Ｓ８参照）。
アクセス装置４が無線端末装置１０に対してプッシュ通知やデータアクセスを行なう場合には、アクセス端末４は、管理サーバ２に対して、アクセス対象の無線端末装置１０の端末情報を要求する（符号Ｓ９参照）。
【００６８】
管理サーバ２においては、アクセスポイント３−２へ移動後の無線端末装置１０の端末情報を記憶（管理）しているので、アクセス端末４に対して、移動後の無線端末装置１０の端末情報やその接続先のアクセスポイント３−２のＳＳＩＤ等を通知することができる。
アクセス端末４は、管理サーバ２から通知された情報に基づいて、無線端末装置１０に端末Wakeコマンドを発行する（符号Ｓ１０参照）。これにより、ＷＬＡＮスリープ状態の無線端末装置１０がWakeされて、ＷＬＡＮスリープ状態が解除される。すなわち、アクセス端末４から無線端末装置１０にアクセス可能な状態となる。
【００６９】
その後、アクセス端末５は、無線端末装置１０に対して、例えば、プッシュメッセージの送信やデータアクセスを行なう（符号Ｓ１１参照）。無線端末装置１０においては、プッシュメッセージの受信等を行なうことができる。
次に、第１実施形態の一例としてのネットワークシステム１におけるＷＬＡＮスリープ制御手法を、図６に示すフローチャート（ステップＡ１０〜Ａ１３０）に従って説明する。
【００７０】
ＷＬＡＮスリープ制御部１６は、ＷＬＡＮモジュール１１のＡＰ接続情報取得部１１１を介してアクセスポイント３から鍵更新時間を取得する。又、ＷＬＡＮスリープ制御部１６は、電波強度取得部１１２を介して、受信電波の電波強度を示すＲＳＳＩ値を取得する（ステップＡ１０）。
ＷＬＡＮスリープ制御部１６は、当該無線端末装置１０のシステム時計（図示省略）を参照して、鍵更新時間の直前になると（ステップＡ２０）、ＷＬＡＮスリープ制御部１６は電波強度取得部１１２を介して、再度、ＲＳＳＩ情報を取得する（ステップＡ３０）。なお、鍵更新時間の直前とは、例えば、ＷＬＡＮ鍵更新時間までに、ＷＬＡＮスリープ制御部１６が電波強度取得部１１２を介してＲＳＳＩ値の取得を完了できる程度の時間的余裕を有するタイミングを示す。
【００７１】
ＷＬＡＮスリープ制御部１６は、電源制御部１１４に対してスリープ制御信号を送信してＷＬＡＮスリープへの移行を開始する（ステップＡ４０）。又、ＷＬＡＮスリープ制御部１６は、電波強度取得部１１２によって取得したＲＳＳＩ値や、ＷＬＡＮモジュール１１の電源状態を表す情報（ＷＬＡＮ状態情報）をＲＡＭ１３（ＷＬＡＮ状態情報保存部）に記憶する（ステップＡ５０）。
【００７２】
ＷＬＡＮスリープ制御部１６は、加速度センサ制御部１７に対して加速度センサモジュール１２の電源制御の開始依頼を行ない、加速度センサ制御部１７は、この依頼に従って、加速度センサモジュール１２の電源制御を開始する（ステップＡ６０）。これにより、加速度センサモジュール１２において、センシング部１２１による加速度変動の検知及び加速度情報の加速度センサ制御部１７への通知が行なわれる。すなわち、加速度センサモジュール１２による当該無線端末装置１０の移動検知が開始される。センシング部１２１は、加速度センサインターバル設定部１２２に設定された加速度センサインターバル毎に加速度検知を行なう。
【００７３】
ＷＬＡＮスリープ制御部１６は、当該無線端末装置１０のシステム時計を参照して、ＷＬＡＮ鍵更新時間の直前であるかを確認する（ステップＡ７０）。例えば、ＷＬＡＮスリープ制御部１６は、ＷＬＡＮ鍵更新時間までの残り時間が所定値に到達したかを判断する。所定値としては、例えば、ＷＬＡＮスリープを解除してアクセスポイント３との通信を開始するまでに要する時間を予め設定しておくことが望ましい。
【００７４】
ＷＬＡＮ鍵更新時間の直前である場合には（ステップＡ７０のＹＥＳルート参照）、ＷＬＡＮスリープ制御部１６は、電源制御部１１４に対してアクティブ制御信号を送信することによりＷＬＡＮスリープを解除する（ステップＡ９０）。これにより、アクセスポイント３との間でＷＬＡＮ通信が再開される。
また、ＷＬＡＮ鍵更新時間の直前でない場合には（ステップＡ７０のＮＯルート参照）、加速度センサ制御部１７が、センシング部１２１からの加速度情報に基づいて、一定時間継続する加速度変化が検知されたかを判断する（ステップＡ８０）。すなわち、当該無線端末装置１０の移動が検知されたかを判断する。一定時間継続する加速度変化が検知されていない場合には（ステップＡ８０のＮＯルート）、ステップＡ７０に戻る。又、一定時間継続する加速度変化が検知された場合には（ステップＡ８０のＹＥＳルート参照）、ステップＡ９０に移行する。
【００７５】
その後、ＷＬＡＮスリープ制御部１６は、端末情報送信部１１３により、端末情報（ＩＰアドレス，ポート番号）をアクセスポイント３を介して管理サーバ２に送信させる（ステップＡ１００）。
ＷＬＡＮスリープ制御部１６は、ＷＬＡＮモジュール１１のＡＰ接続情報取得部１１１を介してアクセスポイント３からＷＬＡＮ鍵更新時間を取得する。又、ＷＬＡＮスリープ制御部１６は、電波強度取得部１１２から受信電波の電波強度を示すＲＳＳＩ値を取得する（ステップＡ１１０）。
【００７６】
ＷＬＡＮスリープ制御部１６は、電波強度取得部１１２から取得したＲＳＳＩ値や、ＷＬＡＮモジュール１１の電源状態を表す情報（ＷＬＡＮ状態情報）をＲＡＭ１３（ＷＬＡＮ状態情報保存部）に記憶する（ステップＡ１２０）。
そして、ＷＬＡＮスリープ制御部１６が、電波強度取得部１１２から取得したＲＳＳＩ値に基づいてスリープ開示時間設定データテーブル１３１を参照して、そのＲＳＳＩ値に対応するＷＬＡＮスリープ開始時間を決定する。ＷＬＡＮスリープ制御部１６は、スリープ開始用タイマ１８にスリープ開示時間を設定し、計時を開始させる（ステップＡ１３０）。これにより、ＷＬＡＮスリープ制御を終了する。
【００７７】
次に、第１実施形態の一例としてのネットワークシステム１における加速度センサモジュール１２の電源制御手法を、図７に示すフローチャート（ステップＢ１０〜Ｂ４０）に従って説明する。
加速度センサ制御部１７はＲＡＭ１３（ＷＬＡＮ状態保存部）に記憶されたＷＬＡＮ状態情報１３３を参照して、ＲＳＳＩ値を読み出す。加速度センサ制御部１７は、このＲＳＳＩ値に基づいて、加速度センサインターバル設定データテーブル１３２を参照して、読み出したＲＳＳＩ値に応じた加速度センサインターバルを読み出す。加速度センサ制御部１７は、読み出した加速度センサインターバルを加速度センサモジュール１２の加速度センサインターバル設定部１２２に設定する（ステップＢ１０）。
【００７８】
加速度センサ制御部１７は、加速度センサモジュール１２の電源制御部１２３に対して加速度センサＯＮ信号を送信することにより、センシング部１２１を電源ＯＮにして、加速度の周期的な測定を開始する（ステップＢ２０）。
すなわち、センシング部１２１は、加速度センサインターバル設定部１２２に記憶された加速度センサインターバルが経過する毎に、加速度の計測を行なう。
【００７９】
その後、ＷＬＡＮスリープ制御部１６が、ＷＬＡＮ状態情報１３３を参照して、ＷＬＡＮスリープ中であるか否かを判断する（ステップＢ３０）。ＷＬＡＮスリープ中である場合には（ステップＢ３０のＹＥＳルート参照）、再度、ステップＢ３０において、ＷＬＡＮスリープ中であるか否かを判断する。
また、ＷＬＡＮスリープ状態でない場合には（ステップＢ３０のＮＯルート参照）、加速度センサ制御部１７が電源制御部１２３に加速度センサＯＦＦ信号を送信して、センシング部１２１の電源をＯＦＦにし（ステップＢ４０）、処理を終了する。
【００８０】
このように、第１実施形態の一例としてのネットワークシステム１によれば、ＷＬＡＮスリープ制御部１６が、電波強度取得部１１２によって測定されたＲＳＳＩ値に応じて、ＷＬＡＮモジュール１１のＷＬＡＮスリープ開始時間を設定する。そして、ＷＬＡＮスリープ制御部１６は、ＷＬＡＮスリープ開始時間が経過した時点でＷＬＡＮモジュール１１をスリープ状態に移行させる。
【００８１】
無線端末装置１０においては、ＷＬＡＮモジュール１１をスリープ状態にすることにより、消費電力を低減し、稼動時間を延長することができる。
また、特に、無線端末装置１０がアクセスポイント３からの距離が遠い程、ＷＬＡＮスリープ開始時間を長くする。すなわち、無線端末装置１０がアクセスポイント３からの距離が遠く、接続中のアクセスポイント３の通信範囲から出て、隣接する他のアクセスポイント３の通信範囲に移動する可能性が高い状態において、ＷＬＡＮスリープ状態への移行を抑止する。
【００８２】
これにより、無線端末装置１０において、その接続先のアクセスポイント３が切り替わる際に、ＷＬＡＮモジュール１１がアクティブ状態である確率を高くすることができる。従って、無線端末装置１０が、その接続先のアクセスポイント３が切り替わる際に、端末情報送信部１１３が新たなアクセスポイント３に端末情報の通知を行なう。これにより、管理サーバ２が無線端末装置１０を管理することができ、アクセス装置４が、無線端末装置１０にアクセスすることが可能となる。
【００８３】
さらに、加速度センサ制御部１７が、電波強度取得部１１２によって測定されたＲＳＳＩ値に応じて、加速度センサインターバルを設定する。そして、加速度センサモジュール１２のセンシング部１２１が、この加速度センサインターバル毎に加速度の計測を繰り返し行なう。
特に、無線端末装置１０がアクセスポイント３からの距離が遠い程、加速度センサインターバルを短くする。すなわち、現在接続中のアクセスポイント３の通信範囲から出て、隣接する他のアクセスポイント３の通信範囲に移動する可能性が高い状態において、センシング部１２１による当該無線端末装置１０の移動検知を頻繁に行なう。
【００８４】
これにより、無線端末装置１０において、その接続先のアクセスポイント３の切り替わりを迅速に検知することができる。
従って、無線端末装置１０が、その接続先のアクセスポイント３が切り替わった際に、端末情報送信部１１３により新たなアクセスポイント３に端末情報の通知が行なわれ、管理サーバ２が無線端末装置１０を管理することができる。
【００８５】
すなわち、アクセス装置４が、スリープ中の無線端末装置１０を遠隔地からWakeさせてアクセスすることが可能となる。これにより、例えば、無線端末装置１０が、通信手法としてＬＡＮしかサポートされていない場合においても、データアクセスやプッシュメッセージの送信を迅速に行なうことが可能となる。
（Ｂ）第２実施形態の説明  
図８は第２実施形態の一例としてのネットワークシステム１の無線端末装置１０の機能構成を示す図である。
【００８６】
本第２実施形態の一例としてのネットワークシステム１において、無線端末装置１０は、図８に示すように、加速度変動チェックカウンタ１３４及びＷＬＡＮ鍵更新時間延長依頼情報送信部１１５を備え、その他の部分は第１実施形態と同様に構成されている。なお、図中、既述の符号と同一の符号は同様の部分を示しているので、その詳細な説明は省略する。
【００８７】
本第２実施形態の一例としてのネットワークシステム１は、所定条件下においてＷＬＡＮ鍵更新時間を延長することにより、スリープ状態にある無線端末装置１０の自立Wake回数を低減し、更なる消費電力量の削減を実現する。
具体的には、アクセスポイント３の通信範囲内に位置する全ての無線端末装置１０が、各スリープ中において加速度変動が無い場合、すなわち各無線端末装置１０がスリープ状態で移動していない場合に、ＷＬＡＮ鍵更新時間を延長する。
【００８８】
加速度変動チェックカウンタ１３４は、センシング部１２１により検出された加速度変動の回数を記憶するカウンタである。例えば、ＲＡＭ１３の所定の記憶領域が、この加速度変動チェックカウンタ１３４として機能する。
加速度センサ制御部１７は、センシング部１２１により加速度変動が検知されると、加速度変動チェックカウンタ１３４をインクリメントする。又、加速度センサ制御部１７は、加速度変動チェックカウンタ１３４の初期化（リセット）も行なう。
【００８９】
ＷＬＡＮ鍵更新時間延長依頼情報送信部１１５は、ＷＬＡＮスリープ制御部１６からの指示に従い、アクセスポイント３に対してＷＬＡＮ鍵更新時間延長依頼情報を送信する。ＷＬＡＮモジュール１１が、このＷＬＡＮ鍵更新時間延長依頼情報送信部１１５としての機能をそなえる。
図９は第２実施形態の一例としてのネットワークシステム１におけるＷＬＡＮ鍵更新時間延長依頼情報を例示する図である。
【００９０】
ＷＬＡＮ鍵更新時間延長依頼情報は、図９に示すように、端末ＭＡＣアドレスと延長依頼とを対応付けて構成されている。端末ＭＡＣアドレスは、そのＷＬＡＮ鍵更新時間延長依頼情報を送信する無線端末装置１０のＭＡＣアドレスである。ＭＡＣアドレスは、ＷＬＡＮモジュール１１に割り当てられる物理アドレスであり、本ネットワークシステム１上で、無線端末装置１０に一意に割り当てられる。すなわち、このＭＡＣアドレスにより無線端末装置１０を特定することができる。
【００９１】
延長依頼は、無線端末装置１０からアクセスポイント３に対してＷＬＡＮ鍵更新時間の延長を依頼する旨を示す情報である。この延長依頼としては、例えば、ＷＬＡＮ鍵更新時間の延長を依頼する場合に“ＹＥＳ”が、又、ＷＬＡＮ鍵更新時間の延長を依頼しない場合には“ＮＯ”が設定される。
ＷＬＡＮスリープ制御部１６は、ＷＬＡＮスリープの解除時に、加速度変動チェックカウンタ１３４を参照する。そして、ＷＬＡＮスリープ制御部１６は、当該無線端末装置１０のスリープ状態中に加速度変動が一度も検出されなかった場合に、ＷＬＡＮ鍵更新時間延長依頼情報送信部１１５に、アクセスポイント３に対してＷＬＡＮ鍵更新時間延長依頼を送信させる。
【００９２】
図１０は第２実施形態の一例としてのネットワークシステム１のアクセスポイント３の機能構成を示す図である。
本第２実施形態のアクセスポイント３は、第１実施形態のアクセスポイント３としての各機能に加えて、更に、図１０に示すように、ＷＬＡＮ鍵更新時間延長依頼情報受信部３１及びＷＬＡＮ鍵更新時間延長判断部３２としての機能を備える。なお、図１０中においては、第１実施形態において図示を省略した、ＷＬＡＮ鍵更新時間保存部３３及びＷＬＡＮ鍵更新時間情報送信部３４も図示している。これらのＷＬＡＮ鍵更新時間保存部３３及びＷＬＡＮ鍵更新時間情報送信部３４としての機能は、第１実施形態のアクセスポイント３も有する。
【００９３】
ＷＬＡＮ鍵更新時間保存部３３は、ＷＬＡＮ鍵更新時間を記憶する。ＷＬＡＮ鍵更新時間は、ＷＬＡＮ鍵更新時間延長判断部３２によって書き込み及び読み出しが行なわれる。このＷＬＡＮ鍵更新時間保存部３３は、例えば、ＲＡＭ等の記憶装置（図示省略）によって実現される。
ＷＬＡＮ鍵更新時間情報送信部３４は、ＷＬＡＮ鍵更新時間保存部３３に記憶されているＷＬＡＮ鍵更新時間を、無線端末装置１０に対して送信する。
【００９４】
ＷＬＡＮ鍵更新時間延長依頼情報受信部３１は、無線端末装置１０から送信されるＷＬＡＮ鍵更新時間延長依頼情報を受信する。ＷＬＡＮ鍵更新時間延長依頼情報受信部３１は、受信したＷＬＡＮ鍵更新時間延長依頼情報をＷＬＡＮ鍵更新時間延長判断部３２に受け渡す。
これらのＷＬＡＮ鍵更新時間情報送信部３４及びＷＬＡＮ鍵更新時間延長依頼情報受信部３１としての機能は、例えば、図示しないＷＬＡＮモジュールにより実現される。
【００９５】
ＷＬＡＮ鍵更新時間延長判断部３２は、無線端末装置１０から受信したＷＬＡＮ鍵更新時間延長依頼情報に基づき、ＷＬＡＮ鍵更新時間を延長するか否かを判断する。
ＷＬＡＮ鍵更新時間延長判断部３２は、ＷＬＡＮ鍵更新時間延長依頼情報バッファ３２１をそなえ、当該アクセスポイント３の通信範囲内に位置する１以上の無線端末装置１０からそれぞれ受信したＷＬＡＮ鍵更新時間延長依頼情報を、このＷＬＡＮ鍵更新時間延長依頼情報バッファ３２１に記憶する。
【００９６】
図１１は第２実施形態の一例としてのネットワークシステム１におけるＷＬＡＮ鍵更新時間延長依頼情報バッファ３２１に記憶されたＷＬＡＮ鍵更新時間延長依頼情報を例示する図である。この図１１においては、当該アクセスポイント３の通信範囲内に３つの無線端末装置１０が存在する例を示す。
この図１１に示すように、ＷＬＡＮ鍵更新時間延長判断部３２は、ＷＬＡＮ鍵更新時間延長依頼情報バッファ３２１に、例えば、その通信範囲内の全ての無線端末装置１０から受信したそれぞれＷＬＡＮ鍵更新時間情報を一覧として記憶する。
【００９７】
これにより、ＷＬＡＮ鍵更新時間延長依頼情報バッファ３２１に記憶されたＷＬＡＮ鍵更新時間延長依頼情報を参照することにより、当該アクセスポイント３の通信範囲内の全ての無線端末装置１０の延長依頼を容易に確認することができる。
ＷＬＡＮ鍵更新時間延長判断部３２は、このＷＬＡＮ鍵更新時間延長依頼情報バッファ３２１に記憶されたＷＬＡＮ鍵更新時間延長依頼情報を参照して、当該アクセスポイント３の通信範囲内の全ての無線端末装置１０の延長依頼がＹＥＳである場合に、ＷＬＡＮ鍵更新時間を延長すると判断する。
【００９８】
すなわち、ＷＬＡＮ鍵更新時間延長判断部３２は、当該アクセスポイント３の通信範囲内の全ての無線端末装置１０において、各スリープ中の全無線端末装置１０に加速度変動が無いと判断した場合に、ＷＬＡＮ鍵更新時間を延長する。
ＷＬＡＮ鍵更新時間延長判断部３２は、ＷＬＡＮ鍵更新時間を延長すると判断した場合に、ＷＬＡＮ鍵更新時間（ｔ）を所定時間（Ｔ）だけ延長した新たなＷＬＡＮ鍵更新時間（ｔ＝ｔ＋Ｔ）を決定し、ＷＬＡＮ鍵更新時間保存部３３に記憶する。すなわち、先にＷＬＡＮ鍵更新時間保存部３３に記憶されているＷＬＡＮ鍵更新時間を、新たなＷＬＡＮ鍵更新時間で更新する。
【００９９】
すなわち、ＷＬＡＮ鍵更新時間延長判断部３２は、当該アクセスポイント３が管理する全ての無線端末装置１０からＷＬＡＮ鍵更新時間延長依頼情報を受信した場合に、ＷＬＡＮ鍵の更新を抑止する鍵更新抑止部として機能する。
また、ＷＬＡＮ鍵更新時間延長判断部３２は、ＷＬＡＮ鍵更新時間保存部３３に記憶されたＷＬＡＮ鍵更新時間を読み出して、ＷＬＡＮ鍵更新時間情報送信部３４に受け渡し、無線端末装置１０に対して送信させる。
【０１００】
上述の如く構成された、第２実施形態の一例としてのネットワークシステム１におけるＷＬＡＮスリープ制御手法を、図１２に示すフローチャート（ステップＡ１０〜Ａ９０，Ａ９１，Ａ９２，Ａ１００〜Ａ１３０）に従って説明する。
なお、以下、図中、記述の符号と同じ符号のステップは同様の処理を示しているので、その詳細な説明は省略する。
【０１０１】
さて、ＷＬＡＮスリープ制御部１６が、電源制御部１１４に対してアクティブ制御信号を送信することによりＷＬＡＮスリープを解除し（ステップＡ９０）、アクセスポイント３との間でＷＬＡＮ通信が再開される。
その後、加速度センサ制御部１７は、加速度変動チェックカウンタ１３４のカウンタ値を参照して、カウンタ値（ｎ）が０であるか（ｎ＝０？）、すなわち、ＷＬＡＮスリープ中にセンシング部１２１により加速度変化が検出されていないかを確認する（ステップＡ９１）。
【０１０２】
ＷＬＡＮスリープ中に加速度変化が検出されていない場合には（ステップＡ９１のＮＯルート参照）、ステップＡ１００に移行する。
一方、ＷＬＡＮスリープ中に加速度変化が検出された場合には（ステップＡ９１のＹＥＳルート参照）、ＷＬＡＮスリープ制御部１６は、ＷＬＡＮ鍵更新時間延長依頼情報送信部１１５により、アクセスポイント３に対してＷＬＡＮ鍵更新時間延長依頼情報を送信する。これにより、アクセスポイント３に対してＷＬＡＮ鍵更新時間の延長を依頼する（ステップＡ９２）。その後、ステップＡ１００に移行する。
【０１０３】
次に、第２実施形態の一例としてのネットワークシステム１のアクセスポイント３におけるＷＬＡＮ鍵更新時間の延長判断処理を、図１３に示すフローチャート（ステップＣ１０〜Ｃ３０）に従って説明する。
ＷＬＡＮ鍵更新時間延長判断部３２は、ＷＬＡＮ鍵更新時間延長依頼情報バッファ３２１に記憶されたＷＬＡＮ鍵更新時間延長依頼情報を参照して、当該アクセスポイント３の通信範囲内の全ての無線端末装置１０から延長依頼があるかを確認する（ステップＣ１０）。すなわち、ＷＬＡＮ鍵更新時間延長判断部３２は、当該アクセスポイント３の通信範囲内の全ての無線端末装置１０の延長依頼がＹＥＳであるか否かを確認する。
【０１０４】
当該アクセスポイント３の通信範囲内の全ての無線端末装置１０から延長依頼がある場合には（ステップＣ１０のＹＥＳルート参照）、ＷＬＡＮ鍵更新時間延長判断部３２は、ＷＬＡＮ鍵更新時間を延長する（ステップＣ２０）。具体的には、  ＷＬＡＮ鍵更新時間延長判断部３２は、ＷＬＡＮ鍵更新時間（ｔ）を所定時間（Ｔ）だけ延長し（ｔ＝ｔ＋Ｔ）、この新たに算出したＷＬＡＮ鍵更新時間をＷＬＡＮ鍵更新時間保存部３３に記憶して、処理を終了する。
【０１０５】
一方、  当該アクセスポイント３の通信範囲内の全ての無線端末装置１０から延長依頼がない場合（ステップＣ１０のＹＥＳルート参照）、すなわち、少なくとも１つの無線端末装置１０から延長依頼が届いていない場合には、ＷＬＡＮ鍵更新時間を初期値（ｔ０）でリセットして（ｔ＝ｔ０；ステップＣ３０）、処理を終了する。
このように、第２実施形態の一例としてのネットワークシステム１によれば、第１実施形態と同様の作用効果を得られる。
【０１０６】
さらに、アクセスポイント３において、その通信範囲内に位置する全ての無線端末装置１０からＷＬＡＮ鍵更新時間延長を送信した場合に、ＷＬＡＮ鍵更新時間延長判断部３２が、ＷＬＡＮ鍵更新時間を延長する。
すなわち、当該アクセスポイント３の通信範囲内の全ての無線端末装置１０が、各スリープ中において加速度変動が無い場合、すなわち各無線端末装置１０がスリープ状態で移動していない場合に、ＷＬＡＮ鍵更新時間を延長する。
【０１０７】
アクセスポイント３の通信範囲内の全ての無線端末装置１０がスリープ状態で移動していない場合には、ＷＬＡＮ鍵更新を行なう必要がない。ＷＬＡＮ鍵更新時間を延長することにより、スリープ状態の無線端末装置１０が鍵交換を行なうために自立Wakeする回数を低減することができ、消費電力を更に低減することができる。
（Ｃ）その他
上述した各実施形態において、無線端末装置１０のＣＰＵ１５が、プログラムを実行することにより、上述したＷＬＡＮスリープ制御部１６，加速度センサ制御部１７及びスリープ開始用タイマ１８として機能する。
【０１０８】
なお、これらのＷＬＡＮスリープ制御部１６，加速度センサ制御部１７及びスリープ開始用タイマ１８としての機能を実現するためのプログラムは、例えばフレキシブルディスク，ＣＤ（ＣＤ−ＲＯＭ，ＣＤ−Ｒ，ＣＤ−ＲＷ等），ＤＶＤ（ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷ，ＨＤ  ＤＶＤ等），ブルーレイディスク，磁気ディスク，光ディスク，光磁気ディスク等の、コンピュータ読取可能な記録媒体に記録された形態で提供される。そして、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。
【０１０９】
ＷＬＡＮスリープ制御部１６，加速度センサ制御部１７及びスリープ開始用タイマ１８としての機能を実現する際には、内部記憶装置（本実施形態ではＲＡＭ１３やＲＯＭ１４）に格納されたプログラムがコンピュータのマイクロプロセッサ（本実施形態ではＣＰＵ１５）によって実行される。このとき、記録媒体に記録されたプログラムをコンピュータが読み取って実行するようにしてもよい。
【０１１０】
また、アクセスポイント３の図示しないＣＰＵが、プログラムを実行することにより、上述したＷＬＡＮ鍵更新時間延長判断部３２として機能する。
なお、このＷＬＡＮ鍵更新時間延長判断部３２としての機能を実現するためのプログラムも、例えばフレキシブルディスク，ＣＤ（ＣＤ−ＲＯＭ，ＣＤ−Ｒ，ＣＤ−ＲＷ等），ＤＶＤ（ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷ，ＨＤ  ＤＶＤ等），ブルーレイディスク，磁気ディスク，光ディスク，光磁気ディスク等の、コンピュータ読取可能な記録媒体に記録された形態で提供される。そして、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。
【０１１１】
ＷＬＡＮ鍵更新時間延長判断部３２としての機能を実現する際には、内部記憶装置（本実施形態では図示しないＲＡＭやＲＯＭ）に格納されたプログラムがコンピュータのマイクロプロセッサ（本実施形態では図示しないＣＰＵ）によって実行される。このとき、記録媒体に記録されたプログラムをコンピュータが読み取って実行するようにしてもよい。
なお、本実施形態において、コンピュータとは、ハードウェアとオペレーティングシステムとを含む概念であり、オペレーティングシステムの制御の下で動作するハードウェアを意味している。又、オペレーティングシステムが不要でアプリケーションプログラム単独でハードウェアを動作させるような場合には、そのハードウェア自体がコンピュータに相当する。ハードウェアは、少なくとも、ＣＰＵ等のマイクロプロセッサと、記録媒体に記録されたコンピュータプログラムを読み取るための手段とをそなえており、本実施形態においては、無線端末装置１０やアクセスポイント３がそれぞれコンピュータとしての機能を有しているのである。
【０１１２】
そして、開示の技術は上述した実施形態に限定されるものではなく、本実施形態の趣旨を逸脱しない範囲で種々変形して実施することができる。本実施形態の各構成及び各処理は、必要に応じて取捨選択することができ、あるいは適宜組み合わせてもよい。
例えば、上述した各実施形態においては、電波強度をＲＳＳＩ値を用いて表しているが、これに限定されるものではなく、電波強度をＲＳＳＩ値以外の値を用いて表してもよく、種々変形して実施することができる。
【０１１３】
また、上述した各実施形態においては、受信強度とＷＬＡＮモジュール１１をスリープ状態に移行させるまでの時間とを対応付ける制御情報としてスリープ開始時間設定データテーブル１３１を用いているが、これに限定されるものではない。又、上述した各実施形態においては、受信強度と、加速度センサモジュール１２のセンシング部１２１による加速度測定の実行間隔（インターバル）とを対応付ける制御情報として加速度センサインターバル設定データテーブル１３２を用いているが、これに限定されるものではない。すなわち、これらの制御情報は必ずしもテーブルである必要はなく、種々変形して実施することができる。
【０１１４】
さらに、上述した各実施形態においては、アクセスポイント３と無線端末装置１０とがＷｉＦｉの規格に沿った通信を行なう例を示しているが、これに限定されるものではなく、他の無線通信規格に沿った通信を行なってもよい。
また、上述した各実施形態においては、ＣＰＵ１５がスリープ開始用タイマ１８としての機能をそなえているが、これに限定されるものではない。例えば、スリープ開始用タイマ１８としての機能を、別途備えたタイマ回路によって実現してもよく、種々変形して実施することができる。
【０１１５】
上述した開示により本実施形態を当業者によって実施・製造することが可能である。
（Ｄ）付記
（付記１）
中継装置と無線通信を行なう無線通信機能を備える端末装置であって、
前記無線通信機能を停止させたスリープ状態にするスリープ制御部と、
前記スリープ状態において当該端末装置の移動を検知する移動検知部と、
前記移動検知部が当該端末装置の移動を検知すると、当該端末装置の端末情報を出力する出力部とをそなえる
ことを特徴とする、端末装置。
【０１１６】
（付記２）
加速度センサをそなえ、
前記移動検知部が、前記加速度センサにより検出された加速度変動に基づいて当該端末装置の移動を検知することを特徴とする、付記１記載の端末装置。
（付記３）
前記スリープ状態への移行時に前記加速度センサを有効にするセンサ制御部をそなえることを特徴とする、付記２記載の端末装置。
【０１１７】
（付記４）
前記スリープ制御部が、前記移動検知部が当該端末装置の移動を検知すると、前記スリープ状態を解除することを特徴とする、付記１〜３のいずれか１項に記載の端末装置。
（付記５）
前記中継装置からの距離に応じて、前記スリープ状態への移行時間を設定するスリープ開始時間設定部をそなえ、
前記スリープ制御部が、前記スリープ開始時間設定部により設定された前記移行時間に従って前記スリープ状態にすることを特徴とする、付記１〜４のいずれか１項に記載の端末装置。
【０１１８】
（付記６）
前記スリープ開始時間設定部が、前記中継装置から遠いほど前記スリープ状態への移行時間を遅くすることを特徴とする、付記５記載の端末装置。
（付記７）
前記中継装置からの距離に応じて、前記移動検知部による当該端末装置の移動の検知タイミングを設定する移動検知タイミング設定部をそなえ、
前記移動検知部が、前記移動検知タイミング設定部により設定された前記検知タイミングに従って当該端末装置の移動の検知を行なうことを特徴とする、付記１〜６のいずれか１項に記載の端末装置。
【０１１９】
（付記８）
前記移動検知タイミング設定部が、前記中継装置から遠いほど前記移動検知部による当該端末装置の移動の検知間隔を短くすることを特徴とする、付記７記載の端末装置。
（付記９）
前記移動検知部が前記スリープ状態において当該端末装置の移動を検知しなかった場合に、前記中継装置に対して、無線通信鍵の更新時間の延長を依頼する依頼情報を送信する延長依頼情報送信部をそなえることを特徴とする、付記１〜８のいずれか１項に記載の端末装置。
【０１２０】
（付記１０）
中継装置と、
前記中継装置と無線通信を行なう無線通信機能を備える端末装置とをそなえるネットワークシステムであって、
前記無線通信機能を停止させたスリープ状態にするスリープ制御部と、
前記スリープ状態において前記端末装置の移動を検知する移動検知部と、
前記移動検知部が前記端末装置の移動を検知すると、前記端末装置の端末情報を出力する出力部とをそなえる
ことを特徴とする、ネットワークシステム。
【０１２１】
（付記１１）
前記端末装置が加速度センサをそなえ、
前記移動検知部が、前記加速度センサにより検出された加速度変動に基づいて前記端末装置の移動を検知することを特徴とする、付記１０記載のネットワークシステム。
（付記１２）
前記スリープ状態への移行時に前記加速度センサを有効にするセンサ制御部をそなえることを特徴とする、付記１１記載のネットワークシステム。
【０１２２】
（付記１３）
前記スリープ制御部が、前記移動検知部が前記端末装置の移動を検知すると、前記スリープ状態を解除することを特徴とする、付記１０〜１２のいずれか１項に記載のネットワークシステム。
（付記１４）
前記中継装置からの距離に応じて、前記スリープ状態への移行時間を設定するスリープ開始時間設定部をそなえ、
前記スリープ制御部が、前記スリープ開始時間設定部により設定された前記移行時間に従って前記スリープ状態にすることを特徴とする、付記１０〜１３のいずれか１項に記載のネットワークシステム。
【０１２３】
（付記１５）
前記スリープ開始時間設定部が、前記中継装置から遠いほど前記スリープ状態への移行時間を遅くすることを特徴とする、付記１４記載のネットワークシステム。
（付記１６）
前記中継装置からの距離に応じて、前記移動検知部による前記端末装置の移動の検知タイミングを設定する移動検知タイミング設定部をそなえ、
前記移動検知部が、前記移動検知タイミング設定部により設定された前記検知タイミングに従って前記端末装置の移動の検知を行なうことを特徴とする、付記１０〜１５のいずれか１項に記載のネットワークシステム。
【０１２４】
（付記１７）
前記移動検知タイミング設定部が、前記中継装置から遠いほど前記移動検知部による前記端末装置の移動の検知間隔を短くすることを特徴とする、付記１６記載のネットワークシステム。
（付記１８）
前記端末装置が、
前記移動検知部が前記スリープ状態中において前記端末装置の移動を検知しなかった場合に、前記中継装置に対して、無線通信鍵の更新時間の延長を依頼する依頼情報を送信する延長依頼情報送信部をそなえ、
前記中継装置が、
当該中継装置が管理する全ての端末装置から前記依頼情報を受信した場合に、前記無線通信にかかる暗号鍵情報の更新を抑止する鍵更新抑止部をそなえることを特徴とする、付記１０〜１７のいずれか１項に記載のネットワークシステム。
【０１２５】
（付記１９）
中継装置と無線通信を行なう無線通信機能を備えるコンピュータのプログラムであって、
前記無線通信機能を停止させたスリープ状態にし、
前記スリープ状態において当該端末装置の移動を検知し、
当該端末装置の移動を検知すると、当該端末装置の端末情報を出力する
処理を前記コンピュータに実行させることを特徴とする、プログラム。
【０１２６】
（付記２０）
中継装置と無線通信を行なう無線通信機能を備える端末装置の制御方法であって、
前記無線通信機能を停止させたスリープ状態にするステップと、
前記スリープ状態において当該端末装置の移動を検知するステップと、
当該端末装置の移動を検知すると、当該端末装置の端末情報を出力するステップとをそなえることを特徴とする、制御方法。
【符号の説明】
【０１２７】
１    ネットワークシステム
２    管理サーバ
３，３−１，３−２    アクセスポイント（中継装置）
４    ワイドレンズ
５    アクセス装置
１０    無線端末装置（端末装置）
１１    ＷＬＡＮモジュール
１２    加速度センサモジュール（加速度センサ）
１３    ＲＡＭ
１４    ＲＯＭ
１５    ＣＰＵ
１６    ＷＬＡＮスリープ制御部（スリープ制御部，出力部，スリープ開始時間設定部）
１７    加速度センサ制御部（センサ制御部，移動検知部，移動検知タイミング設定部）
１８    スリープ開始用タイマ
３１    ＷＬＡＮ鍵更新時間延長依頼情報受信部
３２    ＷＬＡＮ鍵更新時間延長判断部
３３    ＷＬＡＮ鍵更新時間保存部
３４    ＷＬＡＮ鍵更新時間情報送信部
５０    ネットワーク
１１１    ＡＰ接続情報取得部
１１２    電波強度取得部
１１３    端末情報送信部
１１４，１２３    電源制御部
１１５    ＷＬＡＮ鍵更新時間延長依頼情報送信部
１２１    センシング部
１２２    加速度センサインターバル設定部
１３１    スリープ開示時間設定データテーブル
１３２    加速度センサインターバル設定データテーブル
１３３    ＷＬＡＮ状態情報
１３４    加速度変動チェックカウンタ
３２１    ＷＬＡＮ鍵更新時間延長依頼情報バッファ
【図１】
0005924124.tif 000002
【図２】
0005924124.tif 000003
【図３】
0005924124.tif 000004
【図４】
0005924124.tif 000005
【図５】
0005924124.tif 000006
【図６】
0005924124.tif 000007
【図７】
0005924124.tif 000008
【図８】
0005924124.tif 000009
【図９】
0005924124.tif 000010
【図１０】
0005924124.tif 000011
【図１１】
0005924124.tif 000012
【図１２】
0005924124.tif 000013
【図１３】
0005924124.tif 000014